(57)【要約】【課題】発光素子及び受光素子を容易に清掃することができる清掃具及びカードリーダ／ライタセットを提供する。【解決手段】本実施の形態に係る清掃具８は、挿入されるＩＣカードを案内する案内部（側板５２）を有し、該案内部に案内されて挿入されたＩＣカードが収容される収容室３ｂに、該収容室３ｂに収容されたＩＣカードを介して前記ＩＣカードの厚み方向に互いに対向するよう配された発光素子６１１及び受光素子を清掃するための清掃具８であって、前記案内部に案内されて前記収容室３ｂに挿入されるカード８１と、該カード８１の前記収容室３ｂへの挿入方向の先頭部に設けられており、前記発光素子６１１と前記受光素子との間に挿入されて夫々に接触する清掃体８４とを備えることを特徴とする。【選択図】図６
2020013403.tif 000002
【特許請求の範囲】
【請求項１】
挿入されるＩＣカードを案内する案内部を有し、該案内部に案内されて挿入されたＩＣカードが収容される収容室に、該収容室に収容されたＩＣカードを介して前記ＩＣカードの厚み方向に互いに対向するよう配された発光素子及び受光素子を清掃するための清掃具であって、
前記案内部に案内されて前記収容室に挿入されるカードと、
該カードの前記収容室への挿入方向の先頭部に設けられており、前記発光素子と前記受光素子との間に挿入されて夫々に接触する清掃体と
を備えることを特徴とする清掃具。
【請求項２】
前記カードは矩形状をなし、
前記カードの前記挿入方向の先頭側の一辺の両端部から前記挿入方向に突出しており、２つの前記清掃体を支持する２つの支持部を更に備えることを特徴とする請求項１に記載の清掃具。
【請求項３】
各清掃体は、該清掃体を支持する前記支持部に前記一辺に沿う向きに植設された複数本の毛であることを特徴とする請求項２に記載の清掃具。
【請求項４】
前記カードは静電気を帯びることを特徴とする請求項１から３の何れか一項に記載の清掃具。
【請求項５】
挿入されるＩＣカードを案内する案内部を有し、該案内部に案内されて挿入されたＩＣカードが収容される収容室が設けられた筐体と、
該筐体に取り付けられており、前記収容室に、該収容室に収容されたＩＣカードを介して前記ＩＣカードの厚み方向に互いに対向するよう配された発光素子及び受光素子と、
前記発光素子が発した光が前記ＩＣカードによって遮蔽されている場合に、該ＩＣカードに対する情報の読み書きを行なう読み書き部と
を備えるカードリーダ／ライタ、並びに、
前記収容室に挿入されるカードと、
該カードの前記収容室への挿入方向の先頭部に設けられている清掃体と
を備え、前記カードが前記案内部に案内されることによって前記清掃体が前記発光素子と前記受光素子との間に挿入されて夫々に接触する清掃具
を有することを特徴とするカードリーダ／ライタセット。
【発明の詳細な説明】
【技術分野】
【０００１】
本発明は、発光素子と受光素子とを清掃するための清掃具及びカードリーダ／ライタセットに関する。
【背景技術】
【０００２】
近年、プラスチック製のカードにＩＣ（Integrated Circuit）チップが内蔵されたＩＣカードが普及している。ＩＣカードは、例えばプリペイドカードとして用いられ、残高を示す情報がＩＣカードに対して読み書きされる。
【０００３】
特許文献１には、ＩＣカードに対する情報の読み書きを非接触で行なう非接触型のカードリーダ／ライタが記載されている。カードリーダ／ライタにはカードホルダ（収容室）が設けられている。カードホルダには開口部（挿入口）を通して挿入されたＩＣカードが収容される。発光素子と受光素子とは、ＩＣカードの厚み方向に互いに対向するようにして、カードホルダの奥部に配されている。ＩＣカードがカードホルダに収容された場合、発光素子が発した光は、ＩＣカードによって遮られるので、受光素子に到達しない。発光素子の発光中に受光素子が受光しないとき、カードリーダ／ライタはＩＣカードが挿入されたと判定し、ＩＣカードに対する情報の読み書きが行なわれる。
【先行技術文献】
【特許文献】
【０００４】
【特許文献１】特開２００６−６５６６４号公報
【発明の概要】
【発明が解決しようとする課題】
【０００５】
発光素子及び受光素子には、塵又は埃等の異物が付着することがある。発光素子が発した光が異物によって遮られた場合、受光素子が受光しないので、カードリーダ／ライタはＩＣカードが挿入されたと誤判定する。しかしながらＩＣカードは存在しないので、情報が読み書きできず、エラーが発生する。
【０００６】
エラーの解消又は予防のために、発光素子及び受光素子を清掃する必要がある。
しかしながら、カードホルダにＩＣカード以外の異物が挿入されることを抑制するために、開口部は可及的に狭められている。また、発光素子及び受光素子はカードホルダの奥部に配されている。故に、例えば作業者が、綿棒のような汎用の清掃具をカードホルダに挿入してこれらを清掃することは困難である。
【０００７】
本発明は斯かる事情に鑑みてなされたものであり、その主たる目的は、発光素子及び受光素子を容易に清掃することができる清掃具、及び清掃具とカードリーダ／ライタとのセットを提供することにある。
【課題を解決するための手段】
【０００８】
本実施の形態に係る清掃具は、挿入されるＩＣカードを案内する案内部を有し、該案内部に案内されて挿入されたＩＣカードが収容される収容室に、該収容室に収容されたＩＣカードを介して前記ＩＣカードの厚み方向に互いに対向するよう配された発光素子及び受光素子を清掃するための清掃具であって、前記案内部に案内されて前記収容室に挿入されるカードと、該カードの前記収容室への挿入方向の先頭部に設けられており、前記発光素子と前記受光素子との間に挿入されて夫々に接触する清掃体とを備えることを特徴とする。
【０００９】
本実施の形態に係る清掃具は、前記カードは矩形状をなし、前記カードの前記挿入方向の先頭側の一辺の両端部から前記挿入方向に突出しており、２つの前記清掃体を支持する２つの支持部を更に備えることを特徴とする。
【００１０】
本実施の形態に係る清掃具は、各清掃体は、該清掃体を支持する前記支持部に前記一辺に沿う向きに植設された複数本の毛であることを特徴とする。
【００１１】
本実施の形態に係る清掃具は、前記カードは静電気を帯びることを特徴とする。
【００１２】
本実施の形態に係るカードリーダ／ライタセットは、挿入されるＩＣカードを案内する案内部を有し、該案内部に案内されて挿入されたＩＣカードが収容される収容室が設けられた筐体と、該筐体に取り付けられており、前記収容室に、該収容室に収容されたＩＣカードを介して前記ＩＣカードの厚み方向に互いに対向するよう配された発光素子及び受光素子と、前記発光素子が発した光が前記ＩＣカードによって遮蔽されている場合に、該ＩＣカードに対する情報の読み書きを行なう読み書き部とを備えるカードリーダ／ライタ、並びに、前記収容室に挿入されるカードと、該カードの前記収容室への挿入方向の先頭部に設けられている清掃体とを備え、前記カードが前記案内部に案内されることによって前記清掃体が前記発光素子と前記受光素子との間に挿入されて夫々に接触する清掃具を有することを特徴とする。
【００１３】
本実施の形態にあっては、清掃具がカードと清掃体とを備える。
清掃体は、カードの収容室への挿入方向の先頭部に設けられているので、例えば作業者が、カードの後尾部を保持して清掃具を使用することができる。
カードリーダ／ライタの収容室には、ＩＣカードを案内する案内部が設けられている。
【００１４】
清掃具のカードは、清掃体が挿入方向の先頭に向くようにして、収容室に挿入される。収容室に挿入されたカードが案内部に案内されることによって、清掃体が発光素子と受光素子との間に挿入されて夫々に接触する。清掃具の挿脱により清掃体が発光素子及び受光素子夫々に摺動するので、発光素子と受光素子とが清掃される。故に、例えば作業者が意図的に清掃体を発光素子及び受光素子夫々に接触させる必要がない。従って、発光素子及び受光素子を容易に清掃することができる。
カードを案内する案内部は、ＩＣカードを案内する案内部と兼用なので、清掃具を使用するために新たな案内部を収容室に設ける必要はない。
【００１５】
本実施の形態にあっては、清掃具が２つの清掃体を備える。故に、２つの清掃体で２組の発光素子及び受光素子を清掃するか、又は、２つの清掃体の一方で１組の発光素子及び受光素子を清掃することができる。
清掃具は２つの支持部を備える。２つの支持部は、カードの先頭側の一辺の両端部から挿入方向に突出しており、２つの清掃体を支持する。故に、ＩＣカードを挿入することが可能な範囲よりも奥まで清掃体を挿入して清掃することができる。また、２つの清掃体は概ね線対称に配されるので、清掃具をリバーシブルに使用することができる。
【００１６】
本実施の形態にあっては、清掃具の清掃体及び支持部が、刷毛の毛及び柄として機能する。故に、発光素子及び受光素子に付着している異物を刷毛の毛で払うことができ、払った異物を刷毛の毛に絡め取ることができる。
また、刷毛の毛がカードの先頭側の一辺に沿う方向に延びるので、刷毛の毛を十分に長くすることができる。故に、刷毛の毛は変形し易いので、発光素子又は受光素子に接触した毛が発光素子又は受光素子を傷つけることを防止することができる。
【００１７】
本実施の形態にあっては、カードが静電気を帯びるので、発光素子、受光素子、又は収容室の内面に付着している異物がカードに吸着される。カードの静電気は、例えばカードと他の物体との摩擦によって発生する。或いは、清掃体と他の物体との摩擦によって発生した静電気がカードに伝わる。
【発明の効果】
【００１８】
本実施の形態の清掃具及びカードリーダ／ライタセットによれば、カードリーダ／ライタが備える発光素子及び受光素子を容易に清掃することができる。
【図面の簡単な説明】
【００１９】
【図１】実施の形態１に係るカードリーダ／ライタの正面図である。
【図２】カードリーダ／ライタの断面図である。
【図３】カードリーダ／ライタの分解斜視図である。
【図４】実施の形態１に係る清掃具の斜視図である。
【図５】清掃具の側面図である。
【図６】収容室に挿入される清掃具の平面図である。
【図７】清掃具を用いた清掃を説明するための平面図である。
【図８】実施の形態２に係る清掃具の平面図である。
【発明を実施するための形態】
【００２０】
以下、本発明を、その実施の形態を示す図面に基づいて詳述する。以下の説明では、図において矢符で示す上下、前後、及び左右を使用する。
【００２１】
実施の形態  １．
図１は、実施の形態１に係るカードリーダ／ライタの正面図である。
図２は、カードリーダ／ライタの断面図である。
図３は、カードリーダ／ライタの分解斜視図である。
図中１はカードリーダ／ライタであり、カードリーダ／ライタ１は、ＩＣカード２に対する情報の読み書きを非接触で行なう。
ＩＣカード２は一方向に長い矩形状をなす。ＩＣカード２には、メモリを含むＩＣチップ、及びアンテナが内蔵されている。ＩＣカード２では、アンテナを介した情報の送受信、及びＩＣチップに対する情報の読み書き等が行なわれる。
【００２２】
カードリーダ／ライタ１は、前後に延びた平面視矩形の偏平な筐体３を備える。筐体３は下ケース４及び上ケース５を備える。
下ケース４は、前後に延びた平面視矩形のベース板４１を備える。ベース板４１の左右両辺から下方に２枚の側板４２，４２が突出している。右側の側板４２及びベース板４１夫々の後部において、側板４２及びベース板４１に亘る開口４３が設けられている。同様に、左側の側板４２及びベース板４１夫々の後部において、側板４２及びベース板４１に亘る開口４４が設けられている。開口４４は開口４３よりも後側に配置されている。
【００２３】
ベース板４１の後端部の上面に、２つのカード止め４５，４５が左右方向に並設されている。カード止め４５，４５は、ベース板４１の左右方向の中央部に配されている。カード止め４５の前端からベース板４１の前縁までの前後方向の距離は、ＩＣカード２の長さよりも適長（例えば１cm程度）短い。また、カード止め４５の前端は、開口４４の前後方向の中心より後側、且つ開口４４の後端より前側に配されている。
【００２４】
ベース板４１の前縁部の左半分から、舌部４６が前方に突出している。舌部４６には凹部４６１が設けられている。
ベース板４１の前端部の上面に、４つのリブ４７，４７，…が左右に並んでいる。隣り合うリブ４７，４７の左右方向の離隔距離は、一般的な硬貨の直径よりも短い。各リブ４７の前端及び後端夫々は面取りされている。
【００２５】
ベース板４１の下面には、読み書き部３１が取り付けられる。読み書き部３１は、ＩＣカード２に対する情報の読み出し又は書き込みを実行する回路と、この回路が実装された矩形状の基板とを備える。読み書き部３１の基板が、ベース板４１にネジ留めされる。
【００２６】
上ケース５は、前後に延びた平面視矩形のベース板５１を備える。ベース板５１の左右両辺から下方に２枚の側板５２，５２が突出している。右側の側板５２及びベース板５１夫々の後部において、側板５２及びベース板５１に亘る開口５３が設けられている。同様に、左側の側板５２及びベース板５１夫々の後部において、側板５２及びベース板５１に亘る開口５４が設けられている。
開口５３，５４は、下ケース４の開口４３，４４に対応する位置に配されている。
【００２７】
上ケース５は前壁５５及びソレノイド室５６を更に備える。
前壁５５は、ベース板５１の前縁部の右半分から上方に立ち上がっている。前壁５５には前後方向に貫通したランプ孔５５１が設けられている。
ソレノイド室５６は、ベース板４１の前縁部の左半分及び前壁５５の左端に連続して設けられている。ソレノイド室５６の下部は開口している。ソレノイド室５６は下ケース４の舌部４６に対応する位置に配されている。ソレノイド室５６にはソレノイド３２が収容される。
【００２８】
ベース板５１の前端部の上面に、４つのリブ５７，５７，…が左右に並んでいる。各リブ５７には、リブ５７の前端及び後端夫々が面取りされることによって、案内面が形成されている。リブ５７，５７，…は、下ケース４のリブ４７，４７，…に対応する位置に配されている。
【００２９】
ベース板５１の上面には、ランプ３３１を有する駆動部３３が取り付けられる。駆動部３３は、ランプ３３１を駆動する駆動回路と、ソレノイド３２を駆動する駆動回路と、各駆動回路が実装された矩形状の基板とを備える。駆動部３３の基板が、前壁５５のランプ孔５５１にランプ３３１が挿入されるようにして、ベース板５１にネジ留めされる。ランプ３３１は上ケース５の前側からランプ孔５５１を通して視認される。本実施の形態のランプ３３１は、赤色での点灯及び緑色での点灯を切り替え可能である。
カードリーダ／ライタ１はカバー３４を更に備える。カバー３４は、例えば側板５２，５２の４カ所の溝（不図示）に差し込まれることによって、駆動部３３を覆うようにして上ケース５に固定される。
【００３０】
上ケース５には、フォトインタラプタ６１，６２がネジ留めされる。フォトインタラプタ６２はフォトインタラプタ６１よりも後側に配される。
フォトインタラプタ６１は発光素子６１１及び受光素子６１２を備える。発光素子６１１及び受光素子６１２は、上ケース５の外側から開口５３に挿入され、上ケース５の内部において、互いに上下に対向する。本実施の形態では、受光素子６１２が発光素子６１１の上側にある。受光素子６１２は、発光素子６１１が発する光を受ける。発光素子６１１と受光素子６１２との離隔距離は、ＩＣカード２の厚さより長い。
フォトインタラプタ６２は発光素子６２１及び受光素子６２２を備える。フォトインタラプタ６２は、発光素子６２１及び受光素子６２２が開口５４に挿入されている点を除けば、フォトインタラプタ６１と同様の構成である。
【００３１】
上ケース５は、ベース板４１の上面とベース板５１の下面とが互いに上下に対向するようにして、下ケース４にネジ留めされる。ベース板４１の上面とベース板５１の下面との間に形成されている隙間の上下寸法は、ＩＣカード２の厚さよりも長い。
このとき、ベース板４１及びベース板５１夫々の前縁部は互いに上下に対向する。
下ケース４の開口４３，４４と上ケース５の開口５３，５４は互いに上下に対向する。発光素子６１１，６２１が開口４３，４４に嵌め合わされるので、フォトインタラプタ６１，６２と下ケース４とが干渉し合うことはない。
【００３２】
リブ４７，４７，…及びリブ５７，５７，…は互いに上下に対向する。対向するリブ４７，５７間に形成されている隙間の上下寸法は、ＩＣカード２の厚さよりも長く、一般的な硬貨の厚さよりも短い。また、隣り合うリブ５７，５７の離隔距離、及び、左端（右端）のリブ５７と左側（右側）の側板５２との離隔距離は、何れも一般的な硬貨の直径よりも短い。
【００３３】
舌部４６及びソレノイド室５６は互いに上下に対向する。ソレノイド室５６に収容されているソレノイド３２が駆動された場合、ソレノイド３２が有するピン３２１が下方に進出して舌部４６の凹部４６１に挿入される。ピン３２１が凹部４６１に挿入される位置からカード止め４５の前端までの前後方向の距離は、ＩＣカード２の長さよりも適長（例えば数mm程度）長い。
【００３４】
下ケース４及び上ケース５のネジ留めによって、筐体３が形成される。
筐体３には挿入口３ａ及び収容室３ｂが設けられている。挿入口３ａは左右方向に細長く延びる矩形状をなす。挿入口３ａは、下ケース４の前縁部及び舌部４６、上ケース５の前縁部及びソレノイド室５６の下端、並びに側板５２，５２に囲まれており、収容室３ｂに連なっている。
【００３５】
収容室３ｂは、前後に延びた偏平な直方体状をなす。収容室３ｂは、下ケース４のベース板４１、並びに上ケース５のベース板５１、及び側板５２，５２に囲まれている。側板５２，５２の離隔距離は、ＩＣカード２の幅と同程度である。
【００３６】
ＩＣカード２は、挿入口３ａを通してＩＣカード２の長手方向に収容室３ｂに挿入される。ＩＣカード２の後辺部（挿入方向の先頭側の短辺部）がカード止め４５，４５に当接したとき、ＩＣカード２の挿入が完了し、ＩＣカード２は収容室３ｂに収容される。
ＩＣカード２がカード止め４５，４５に当接することによって、ユーザはＩＣカード２が必要十分に挿入されたことを認識することができる。また、挿入されたＩＣカード２は、ＩＣカード２の前辺部（挿入方向の後尾側の短辺部）がベース板４１，５１の前縁部から前方に若干突出した位置に配される。
【００３７】
ＩＣカード２が収容室３ｂに挿入された場合、ＩＣカード２の２つの長辺部は収容室３ｂの側板５２，５２に案内され、ＩＣカード２の両面はリブ４７，４７，…及びリブ５７，５７，…に案内される。即ち、側板５２，５２、リブ４７，４７，…、及びリブ５７，５７，…は、収容室３ｂが有する案内部として機能する。リブ４７，４７，…及びリブ５７，５７，…には、挿入口３ａを狭める効果もある。この結果、挿入口３ａを通して収容室３ｂに異物（例えば硬貨）が挿入されることを抑制することができる。
【００３８】
ＩＣカード２が案内部に案内されることによって、ＩＣカード２の右辺部がフォトインタラプタ６１の発光素子６１１と受光素子６１２との間へ導かれ、ＩＣカード２の後辺部がフォトインタラプタ６２の発光素子６２１と受光素子６２２との間へ導かれる。
収容室３ｂに挿入されたＩＣカード２は、まず、フォトインタラプタ６１の発光素子６２１と受光素子６２２との間に挿入される。カード止め４５，４５に当接したとき、ＩＣカード２はフォトインタラプタ６２の発光素子６２１と受光素子６２２との間に挿入される。
【００３９】
フォトインタラプタ６１の発光素子６１１と受光素子６１２との間にＩＣカード２が挿入されている場合、発光素子６１１が発する光はＩＣカード２によって遮断されるので、受光素子６１２は受光しない。即ち、受光素子６１２の非受光（受光）は収容室３ｂにＩＣカード２が挿入されていること（挿入されていないこと）を示す。
フォトインタラプタ６２の発光素子６２１と受光素子６２２との間にＩＣカード２が挿入されている場合、発光素子６２１が発する光はＩＣカード２によって遮断されるので、受光素子６２２は受光しない。即ち、受光素子６２２の非受光（受光）は収容室３ｂにＩＣカード２が収容されていること（収容されていないこと）を示す。
【００４０】
図２に模式的に示す制御装置７は、例えばカードリーダ／ライタ１が組み込まれた電気装置の制御中枢である。
制御装置７は読み書き部３１へ読み出し信号及び書き込み信号を夫々出力する。読み書き部３１は、入力された読み出し信号（又は書き込み信号）に応じて、ＩＣカード２に対する情報の読み出し（又は書き込み）を実行し、実行結果を制御装置７へ出力する。
【００４１】
制御装置７は、ランプ３３１の緑色又は赤色での点灯を示すランプ制御信号を駆動部３３へ出力する。
ランプ制御信号が連続的に（又は断続的に）入力されている場合、駆動部３３は、入力されたランプ制御信号に応じてランプ３３１を駆動し、ランプ３３１を点灯（又は点滅）させる。ランプ制御信号が入力されていない場合、駆動部３３はランプ３３１を駆動しない。この結果、ランプ３３１は消灯される。
制御装置７は、ピン３２１の進出を示すソレノイド制御信号を駆動部３３へ出力する。ソレノイド制御信号が入力されている場合、駆動部３３はソレノイド３２を駆動してピン３２１を進出させる（図２参照）。ソレノイド制御信号が入力されていない場合、駆動部３３はソレノイド３２を駆動しない。この結果、ピン３２１は退入する（図１参照）。
【００４２】
駆動部３３は、フォトインタラプタ６１，６２の発光素子６１１，６２１を発光させ、受光素子６１２，６２２夫々が受光しているか否かを示す信号を制御装置７へ出力する。
【００４３】
カードリーダ／ライタ１の電源がオンである場合、フォトインタラプタ６１，６２の発光素子６１１，６２１が発光する。
ＩＣカード２が収容室３ｂに挿入されるまで、フォトインタラプタ６１，６２の受光素子６１２，６２２が受光する。制御装置７には受光素子６１２，６２２が共に受光していることを示す信号が入力される。制御装置７は、緑色を示すランプ制御信号を駆動部３３へ連続的に出力することによって、ランプ３３１を緑色で点灯させる。ピン３２１は退入しているので、挿入口３ａを通してＩＣカード２を収容室３ｂに挿入することができる。
【００４４】
ＩＣカード２が収容室３ｂに挿入された場合、受光素子６１２が受光しなくなる。制御装置７には、受光素子６２２が受光し、受光素子６１２が受光していないことを示す信号が入力される。制御装置７は、次の動作に必要な処理（例えばＩＣカード２に対する読み書きを準備する処理）を実行する。
【００４５】
ＩＣカード２が収容室３ｂに収容されたとき、受光素子６２２が受光しなくなる。制御装置７には受光素子６１２，６２２が共に受光していないことを示す信号が入力される。制御装置７は、緑色を示すランプ制御信号を駆動部３３へ断続的に出力することによって、ランプ３３１を緑色で点滅させる。また、制御装置７は、ソレノイド制御信号を駆動部３３へ出力することによって、ピン３２１を進出させる。ピン３２１の進出によって、ＩＣカード２が収容室３ｂから引き抜かれることが防止される。更に、制御装置７は、読み出し信号又は書き込み信号を読み書き部３１へ出力することによって、収容室３ｂに収容されたＩＣカード２に対する情報の読み出し又は書き込みを実行させる。
【００４６】
情報の読み書きが終了する都度、読み書き部３１は、情報の読み書きの実行結果を示す結果信号を制御装置７へ出力する。結果信号が入力された制御装置７は、所要の読み書きが全て終了したか否かを判定する。全ての読み書きが終了した場合、制御装置７は、緑色を示すランプ制御信号を駆動部３３へ連続的に出力することによって、ランプ３３１を緑色で点灯させる。また、制御装置７は、ソレノイド制御信号の出力を終了することによって、ピン３２１を退入させる。ピン３２１の退入によって、ＩＣカード２を収容室３ｂから引き抜くことが可能になる。
【００４７】
ＩＣカード２の前辺部がベース板４１，５１の前縁部から前方に若干突出しているので、ピン３２１の退入後、ユーザはＩＣカード２の前辺部を摘まみＩＣカード２を容易に引き抜くことができる。
【００４８】
カードリーダ／ライタ１又はＩＣカード２に異常があり、エラーが発生した場合、制御装置７は、赤色を示すランプ制御信号を駆動部３３へ連続的に出力することによって、ランプ３３１を赤色で点灯させる。また、制御装置７は、ソレノイド制御信号を出力しない。
【００４９】
ところで、フォトインタラプタ６１，６２には塵又は埃等の異物が付着することがある。発光素子６１１及び／又は受光素子６１２に異物が付着している場合、発光素子６１１が発する光が遮光され、受光素子６１２が受光しないことがある。同様に、異物によって発光素子６２１が発する光が遮光され、受光素子６２２が受光しないことがある。
例えば、手前側の受光素子６１２が受光している場合に奥側の受光素子６２２が受光していないとき、発光素子６２１及び／又は受光素子６２２に異物が付着している可能性がある。故に、制御装置７は、エラーが発生した、と判定する。
【００５０】
異物によって発光素子６１１の光が遮断された場合、制御装置７はＩＣカード２が挿入されたと誤判定し、次の動作に必要な処理を実行する。しかしながらＩＣカード２は存在しないので、無駄な処理が実行され続ける。
異物によって発光素子６１１，６２１の光が遮断された場合、制御装置７はＩＣカード２が収容されたと誤判定し、情報の読み書きを実行する。しかしながらＩＣカード２は存在しないので、情報が読み書きできず、エラーが発生する。
【００５１】
エラーの解消又は予防のために、及び、無駄な処理の実行を防止するために、フォトインタラプタ６１，６２が有する発光素子６１１，６２１及び受光素子６１２，６２２を清掃する必要がある。
フォトインタラプタ６１，６２を清掃するために、次に説明する清掃具８が用いられる。
【００５２】
図４は、実施の形態１に係る清掃具８の斜視図である。
図５は、清掃具８の側面図である。
図６は、収容室３ｂに挿入される清掃具８の平面図である。
清掃具８はカード８１と２つの刷毛８２，８２とを備える。
カード８１は一方向に長い矩形状をなす。カード８１の厚さ及び幅は、ＩＣカード２の厚さ及び幅と同程度である。カード８１の長さは、ＩＣカード２の長さ以上である。カード８１は合成樹脂製であり、静電気を帯びる。
以下では、カード８１の一方の短辺をカード８１の先頭辺といい、カード８１の他方の短辺をカード８１の後尾辺という。また、カード８１の後尾辺からカード８１の先頭辺に向かう方向をカード８１の挿入方向という。
【００５３】
刷毛８２，８２は、カード８１の先頭辺の両端部に、左右対称に設けられている。各刷毛８２は支持部８３と清掃体８４とを備える。
支持部８３は、カード８１のカード８１の先頭辺からカード８１の挿入方向に延設された細い舌片状をなす。支持部８３はカード８１に一体構造又は接合構造になっている。
【００５４】
清掃体８４は複数本の毛であり、支持部８３に支持されている。清掃体８４の各毛は合成樹脂製であり、カード８１の先頭辺に沿う向きに適宜に長く延び、支持部８３に植設されている。清掃体８４の毛先は、カード８１の清掃体８４に最も近い長辺よりも僅かに外側に位置している。
清掃体８４の厚さ（カード８１の厚み方向の長さ）はフォトインタラプタ６１の発光素子６１１と受光素子６１２との離隔距離以上である。
カードリーダ／ライタセット９は、カードリーダ／ライタ１と清掃具８とのセットである。
【００５５】
フォトインタラプタ６１，６２を清掃する前に、作業者はカードリーダ／ライタ１の電源をオフにする。
作業者は、カード８１の後尾側の部分を摘まみ、清掃体８４，８４を収容室３ｂの奥側に向ける。作業者は、挿入口３ａを通してカード８１の長手方向に清掃具８を収容室３ｂに挿入する。カード８１が挿入口３ａから収容室３ｂの奥まで挿入される際、清掃体８４，８４と側板５２，５２との摩擦が生じて静電気が発生し、この静電気がカード８１に伝わりカード８１も帯電する。
【００５６】
図７は、清掃具８を用いた清掃を説明するための平面図である。
清掃具８が収容室３ｂの最奥まで挿入された場合、カード８１の先頭辺がカード止め４５，４５に当接する。カード８１がカード止め４５，４５に当接することによって、作業者は清掃具８が収容室３ｂの最奥まで挿入されたことを認識することができる。また、挿入された清掃具８は、カード８１の後尾辺がベース板４１，５１の前縁部から前方に突出した位置に配される。
【００５７】
清掃具８が収容室３ｂに挿入された場合、カード８１の２つの長辺は収容室３ｂの側板５２，５２に案内され（図６及び図７参照）、カード８１の両面はリブ４７，４７，…及びリブ５７，５７，…に案内される（図１参照）。この結果、右側の清掃体８４がフォトインタラプタ６１の発光素子６１１と受光素子６１２との間へ導かれ、左側の清掃体８４の後辺部がフォトインタラプタ６２の発光素子６２１と受光素子６２２との間へ導かれる。
【００５８】
作業者は、図７に示すように、カード８１がカード止め４５，４５に当接するまで清掃具８を挿入することと、図６に示すように、清掃体８４，８４がフォトインタラプタ６１よりも手前側に位置するまで清掃具８を引き出すこととを適宜に繰り返す。なお、カード８１の両面に、清掃具８を引き出す長さを示す目印が設けられていてもよい。
【００５９】
清掃具８の抜脱が繰り返されることによって、右側の清掃体８４はフォトインタラプタ６１の発光素子６１１及び受光素子６１２夫々に摺動する。清掃体８４を構成している複数本の毛は、夫々適宜に変形しながら、発光素子６１１及び受光素子６２２に付着している異物を払う。この結果、フォトインタラプタ６１が清掃される。払われた異物は、清掃体８４の毛に絡め取られか、又は、静電気によってカード８１に吸着される。
【００６０】
同様に、左側の清掃体８４がフォトインタラプタ６２の発光素子６２１及び受光素子６２２夫々に摺動するので、フォトインタラプタ６２が清掃される。
カード８１には、フォトインタラプタ６１，６２に付着していた異物のみならず、収容室３ｂの内面に付着している異物も吸着される。
【００６１】
清掃体８４の各毛は十分に長いので、変形し易い。故に、発光素子６１１，６２１又は受光素子６１２，６２２に接触した清掃体８４が発光素子６１１，６２１又は受光素子６１２，６２２を傷つけることを防止することができる。
【００６２】
フォトインタラプタ６１，６２の清掃後、作業者は清掃具８を完全に収容室３ｂから引き抜く。
なお、作業者が意図的にカード８１に静電気を発生させることは必須ではない。何故ならば、清掃体８４，８４と側板５２，５２及びフォトインタラプタ６１，６２との摩擦によって発生した静電気がカード８１に伝わることによってカード８１が静電気を帯びることが見込めるからである。
【００６３】
清掃具８の清掃体８４は、収容室３ｂが有する案内部にカード８１が案内されることによって、発光素子６１１と受光素子６１２との間（又は発光素子６２１と受光素子６２２との間）に挿入されて夫々に接触する。故に、作業者が意図的に清掃体８４を発光素子６１１及び受光素子６１２夫々（又は発光素子６２１及び受光素子６２２夫々）に接触させる必要がない。従って、フォトインタラプタ６１，６２を容易に清掃することができる。
カード８１を案内する案内部は、ＩＣカード２を案内する案内部と兼用なので、清掃具８を使用するために新たな案内部を収容室３ｂに設ける必要はない。
【００６４】
支持部８３，８３は、カード８１の先頭辺の両端部から挿入方向に突出しており、清掃体８４，８４を支持する。故に、ＩＣカード２が挿入可能な範囲よりも奥（カード止め４５の前端よりも後側）まで清掃体８４，８４を挿入して清掃することができる。また、清掃体８４，８４は左右対称に配されるので、清掃具８をリバーシブルに使用することができる。
【００６５】
なお、清掃具８は、カード８１の長手方向（挿脱方向）に毛が伸びる清掃体を備えていてもよい。しかしながら、このような清掃体よりも、カード８１の短手方向に延びる毛が伸びる清掃体８４の方が、フォトインタラプタ６１，６２から異物を払い落とし易い。
清掃具８は、カード８１の厚み方向に毛が伸びる清掃体を備えていてもよい。しかしながら、このような清掃体よりも、カード８１の短手方向に延びる毛が伸びる清掃体８４の方が、刷毛８２の摺動によるフォトインタラプタ６１，６２の損傷を抑制することができる。
【００６６】
清掃体８４は複数本の毛に限定されるものではなく、布又はスポンジ等でもよい。
カード８１に支持部８３，８３が設けられていなくてもよい。この場合、２つの清掃体は、カード８１の先頭辺の両端部に支持される。
【００６７】
カードリーダ／ライタ１はフォトインタラプタ６１を備えていなくてもよい。この場合、清掃体８４，８４の一方でフォトインタラプタ６２を清掃することができる。また、清掃体８４，８４を交互に使用してフォトインタラプタ６２を２回清掃することができる。
カード８１の後尾辺に、適宜の摘みが清掃具８の抜脱方向に延設されていてもよい。作業者は摘みを摘まんで清掃具８を挿脱する。
【００６８】
実施の形態  ２．
【００６９】
図８は、実施の形態２に係る清掃具８の平面図である。
本実施の形態の清掃具８は、実施の形態１の清掃具８と略同様である。以下では、実施の形態１との差異について説明し、その他、実施の形態１と同一の構成要素には同一の符号を付してそれらの説明を省略する。
【００７０】
本実施の形態の清掃具８の場合、カード８１と支持部８３，８３とが別体である。
カード８１の先頭辺の両端部に、矩形状の切り欠きが設けられている。カード８１の各切り欠きの周縁部に沿って、平面視Ｌ字状の固定部材８５がカード８１に固定されている。
刷毛８２の構成は、支持部８３が固定部材８５に一体に設けられている点を除けば、実施の形態１の刷毛８２の構成と同様である。
本実施の形態の清掃具８は、実施の形態１の清掃具８と略同様の作用効果を奏する。
【００７１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００７２】
１      カードリーダ／ライタ
２      ＩＣカード
３      筐体
３ｂ    収容室
３１    読み書き部
４７    リブ（案内部）
５２    側板（案内部）
５７    リブ（案内部）
６１１，６２１  発光素子
６１２，６２２  受光素子
８      清掃具
８１    カード
８３    支持部
８４    清掃体
９      カードリーダ／ライタセット
【図１】
2020013403.tif 000003
【図２】
2020013403.tif 000004
【図３】
2020013403.tif 000005
【図４】
2020013403.tif 000006
【図５】
2020013403.tif 000007
【図６】
2020013403.tif 000008
【図７】
2020013403.tif 000009
【図８】
2020013403.tif 000010